(57)【要約】【課題】他方の通信装置の受信機能部に対して、対向する一方の通信装置の送信機能部で設定されているものと同じ伝送路パラメータを設定しなければ品質測定ができないような通信システムにおいて、送信機能部が伝送路パラメータを変更している間に品質測定を行うことが可能となり、伝送路パラメータのネゴシエーションが可能となるとともに、上り方向通信と下り方向通信とで最適な伝送路パラメータが異なるような通信システムにおいてもネゴシエーションが可能となる通信システムおよび伝送路パラメータ設定方法を得る。【解決手段】一方の通信装置の送信機能部および受信機能部で伝送路パラメータをそれぞれ可変設定しながら行われる伝送品質測定結果に基づいて、送信機能部で最適な伝送路パラメータを設定し、受信機能部で設定した最適な伝送路パラメータを送信機能部で設定する。【選択図】図１
2015167332.tif 000002
【特許請求の範囲】
【請求項１】
送信端および受信端を有する通信装置を１対備え、一方の通信装置の送信端と他方の通信装置の受信端とが伝送路を介して互いに接続されている通信システムであって、
前記一方の通信装置は、
前記他方の通信装置と伝送路パラメータのネゴシエーションを行う場合に、あるレベル以上の所望の伝送品質を保つために自身の前記送信端で設定されるべき最適な伝送路パラメータの候補として、Ｎ個（Ｎは、１以上の整数）の候補伝送路パラメータを周期Ｔ＿ＴＸごとに順次変化させながら１個ずつ自身の前記送信端で設定するとともに、前記候補伝送路パラメータを１個ずつ設定するごとに前記他方の通信装置と通信をし、
前記他方の通信装置は、
前記一方の通信装置と前記伝送路パラメータのネゴシエーションを行う場合に、前記所望の伝送品質を保つために自身の前記受信端で設定されるべき最適な伝送路パラメータの候補として、前記Ｎ個の候補伝送路パラメータを周期Ｔ＿ＲＸごとに順次変化させながら１個ずつ自身の前記受信端で設定するとともに、前記候補伝送路パラメータを１個ずつ設定するごとに前記一方の通信装置との前記通信の結果として前記伝送品質を測定し、前記伝送品質の測定結果に基づいて、前記Ｎ個の候補伝送路パラメータの中から、前記最適な伝送路パラメータを特定し、特定した前記最適な伝送路パラメータを自身の前記受信端で設定するとともに前記一方の通信装置に対して特定した前記最適な伝送路パラメータを通知し、
前記一方の通信装置は、さらに、
前記他方の通信装置から前記最適な伝送路パラメータが通知された場合、通知された前記最適な伝送路パラメータを、自身の前記送信端で設定し、
前記周期Ｔ＿ＴＸおよび前記周期Ｔ＿ＲＸの関係は、
Ｔ＿ＴＸ＞Ｔ＿ＲＸかつＴ＿ＴＸ≦Ｎ×Ｔ＿ＲＸ、
または、Ｔ＿ＲＸ＞Ｔ＿ＴＸかつＴ＿ＲＸ≦Ｎ×Ｔ＿ＴＸを満たす
通信システム。
【請求項２】
請求項１に記載の通信システムにおいて、
管理装置をさらに備え、
前記一方の通信装置および前記他方の通信装置のそれぞれは、
前記管理装置と通信し、前記管理装置から前記伝送路の通信特性に関する情報を取得し、
取得した前記情報に基づいて、順次変化させる前記候補伝送路パラメータの値域を絞り込む
通信システム。
【請求項３】
請求項１に記載の通信システムにおいて、
クライアント装置をさらに備え、
前記一方の通信装置および前記他方の通信装置のそれぞれは、
前記クライアント装置に対して第１のクライアント信号を送信するともに、前記クライアント装置から第２のクライアント信号を受信し、
前記第１のクライアント信号および前記第２のクライアント信号の情報に基づいて、順次変化させる前記候補伝送路パラメータの値域を絞り込む
通信システム。
【請求項４】
送信端および受信端を有する通信装置を１対備え、一方の通信装置の送信端と他方の通信装置の受信端とが伝送路を介して互いに接続されている通信システムの伝送路パラメータ設定方法であって、
前記一方の通信装置が、
前記他方の通信装置と伝送路パラメータのネゴシエーションを行う場合に、あるレベル以上の所望の伝送品質を保つために自身の前記送信端で設定されるべき最適な伝送路パラメータの候補として、Ｎ個（Ｎは、１以上の整数）の候補伝送路パラメータを周期Ｔ＿ＴＸごとに順次変化させながら１個ずつ自身の前記送信端に設定するとともに、前記候補伝送路パラメータを１個ずつ設定するごとに前記他方の通信装置と通信をするステップと、
前記他方の通信装置が、
前記一方の通信装置と前記伝送路パラメータのネゴシエーションを行う場合に、前記所望の伝送品質を保つために自身の前記受信端で設定されるべき最適な伝送路パラメータの候補として、前記Ｎ個の候補伝送路パラメータを周期Ｔ＿ＲＸごとに順次変化させながら１個ずつ自身の前記受信端に設定するとともに、前記候補伝送路パラメータを１個ずつ設定するごとに前記一方の通信装置との前記通信の結果として前記伝送品質を測定し、前記伝送品質の測定結果に基づいて、前記Ｎ個の候補伝送路パラメータの中から、前記最適な伝送路パラメータを特定し、特定した前記最適な伝送路パラメータを自身の前記受信端で設定するとともに前記一方の通信装置に対して特定した前記最適な伝送路パラメータを通知するステップと、
前記一方の通信装置が、さらに、
前記他方の通信装置から前記最適な伝送路パラメータが通知された場合、通知された前記最適な伝送路パラメータを、自身の前記送信端に設定するステップと、
を備え、
前記周期Ｔ＿ＴＸおよび前記周期Ｔ＿ＲＸの関係は、
Ｔ＿ＴＸ＞Ｔ＿ＲＸかつＴ＿ＴＸ≦Ｎ×Ｔ＿ＲＸ、
または、Ｔ＿ＲＸ＞Ｔ＿ＴＸかつＴ＿ＲＸ≦Ｎ×Ｔ＿ＴＸを満たす
伝送路パラメータ設定方法。
【発明の詳細な説明】
【技術分野】
【０００１】
本発明は、伝送品質が伝送路の状態に応じて適応的に変化するネットワークに適用される通信システムおよび伝送路パラメータ設定方法に関するものである。
【背景技術】
【０００２】
伝送品質が伝送路の状態に応じて適応的に変化するネットワークでは、伝送品質を補償する機能を備えた通信装置を用いて、送信側通信装置と受信側通信装置との間で適切な伝送品質を保つための補償パラメータ（以下、伝送路パラメータと称す）を、通信機能部に設定して通信を行う。
【０００３】
また、このような通信システムでは、適切な伝送路パラメータを決定すべく、送信側通信装置と受信側通信装置との間でネゴシエーションが通信開始時に行われる（例えば、特許文献１参照）。
【０００４】
ここで、特許文献１に記載のネゴシエーション方法においては、以下のような手順が実行される。すなわち、第１に、ネゴシエーションが開始されれば、下り方向通信における送信側通信装置は、伝送路パラメータを変化させる。第２に、下り方向通信における受信側通信装置は、伝送路パラメータが変化する度にそれぞれの伝送品質の測定を行うことで、最適な伝送品質が得られる伝送路パラメータの判定を行う。第３に、下り方向通信における受信側通信装置は、伝送品質が最適になると判定した伝送路パラメータを、自身の送信機能部、すなわち、上り方向通信における送信側通信装置に設定すると同時に、下り方向通信における送信側通信装置に通知する。第４に、下り方向通信における送信側通信装置は、通知された伝送路パラメータを用いて通信する。
【先行技術文献】
【特許文献】
【０００５】
【特許文献１】特許第４８４７４５５号公報
【発明の概要】
【発明が解決しようとする課題】
【０００６】
しかしながら、従来技術には以下のような課題がある。
特許文献１に記載の従来技術では、送信側通信装置のみが伝送路パラメータを変化させている。したがって、受信側通信装置で伝送品質の測定を行うために、送信側通信装置と受信側通信装置とで同一の伝送路パラメータが設定されている必要があるような通信システムにおいて、特許文献１に記載の従来技術を適用した場合であっても、伝送品質の測定および伝送品質が最適になる伝送路パラメータの判定を行うことができないという問題がある。
【０００７】
また、特許文献１に記載の従来技術では、下り方向通信における受信側通信装置は、自身が最適と判定した伝送路パラメータを、下り方向通信における送信側通信装置にフィードバックすると同時に、自身の送信機能部に設定している。したがって、最適な伝送品質を得られる伝送路パラメータが下り方向通信と上り方向通信とで異なるような通信システムにおいて、特許文献１に記載の従来技術を適用した場合であっても、それぞれの方向の通信に対して、最適な伝送路パラメータが得られないという問題がある。
【０００８】
本発明は、前記のような課題を解決するためになされたものであり、他方の通信装置の受信機能部に対して、対向する一方の通信装置の送信機能部で設定されているものと同じ伝送路パラメータを設定しなければ品質測定ができないような通信システムにおいて、送信機能部が伝送路パラメータを変更している間に品質測定を行うことが可能となり、伝送路パラメータのネゴシエーションが可能となるとともに、上り方向通信と下り方向通信とで最適な伝送路パラメータが異なるような通信システムにおいてもネゴシエーションが可能となる通信システムおよび伝送路パラメータ設定方法を得ることを目的とする。
【課題を解決するための手段】
【０００９】
本発明における通信システムは、送信端および受信端を有する通信装置を１対備え、一方の通信装置の送信端と他方の通信装置の受信端とが伝送路を介して互いに接続されている通信システムであって、一方の通信装置は、他方の通信装置と伝送路パラメータのネゴシエーションを行う場合に、あるレベル以上の所望の伝送品質を保つために自身の送信端で設定されるべき最適な伝送路パラメータの候補として、Ｎ個（Ｎは、１以上の整数）の候補伝送路パラメータを周期Ｔ＿ＴＸごとに順次変化させながら１個ずつ自身の送信端で設定するとともに、候補伝送路パラメータを１個ずつ設定するごとに他方の通信装置と通信をし、他方の通信装置は、一方の通信装置と伝送路パラメータのネゴシエーションを行う場合に、所望の伝送品質を保つために自身の受信端で設定されるべき最適な伝送路パラメータの候補として、Ｎ個の候補伝送路パラメータを周期Ｔ＿ＲＸごとに順次変化させながら１個ずつ自身の受信端で設定するとともに、候補伝送路パラメータを１個ずつ設定するごとに一方の通信装置との通信の結果として伝送品質を測定し、伝送品質の測定結果に基づいて、Ｎ個の候補伝送路パラメータの中から、最適な伝送路パラメータを特定し、特定した最適な伝送路パラメータを自身の受信端で設定するとともに一方の通信装置に対して特定した最適な伝送路パラメータを通知し、一方の通信装置は、さらに、他方の通信装置から最適な伝送路パラメータが通知された場合、通知された最適な伝送路パラメータを、自身の送信端で設定し、周期Ｔ＿ＴＸおよび周期Ｔ＿ＲＸの関係は、Ｔ＿ＴＸ＞Ｔ＿ＲＸかつＴ＿ＴＸ≦Ｎ×Ｔ＿ＲＸ、または、Ｔ＿ＲＸ＞Ｔ＿ＴＸかつＴ＿ＲＸ≦Ｎ×Ｔ＿ＴＸを満たすものである。
【００１０】
また、本発明における伝送路パラメータ設定方法は、送信端および受信端を有する通信装置を１対備え、一方の通信装置の送信端と他方の通信装置の受信端とが伝送路を介して互いに接続されている通信システムの伝送路パラメータ設定方法であって、一方の通信装置が、他方の通信装置と伝送路パラメータのネゴシエーションを行う場合に、あるレベル以上の所望の伝送品質を保つために自身の送信端で設定されるべき最適な伝送路パラメータの候補として、Ｎ個（Ｎは、１以上の整数）の候補伝送路パラメータを周期Ｔ＿ＴＸごとに順次変化させながら１個ずつ自身の送信端に設定するとともに、候補伝送路パラメータを１個ずつ設定するごとに他方の通信装置と通信をするステップと、他方の通信装置が、一方の通信装置と伝送路パラメータのネゴシエーションを行う場合に、所望の伝送品質を保つために自身の受信端で設定されるべき最適な伝送路パラメータの候補として、Ｎ個の候補伝送路パラメータを周期Ｔ＿ＲＸごとに順次変化させながら１個ずつ自身の受信端に設定するとともに、候補伝送路パラメータを１個ずつ設定するごとに一方の通信装置との通信の結果として伝送品質を測定し、伝送品質の測定結果に基づいて、Ｎ個の候補伝送路パラメータの中から、最適な伝送路パラメータを特定し、特定した最適な伝送路パラメータを自身の受信端で設定するとともに一方の通信装置に対して特定した最適な伝送路パラメータを通知するステップと、一方の通信装置が、さらに、他方の通信装置から最適な伝送路パラメータが通知された場合、通知された最適な伝送路パラメータを、自身の送信端に設定するステップと、を備え、周期Ｔ＿ＴＸおよび周期Ｔ＿ＲＸの関係は、Ｔ＿ＴＸ＞Ｔ＿ＲＸかつＴ＿ＴＸ≦Ｎ×Ｔ＿ＲＸ、または、Ｔ＿ＲＸ＞Ｔ＿ＴＸかつＴ＿ＲＸ≦Ｎ×Ｔ＿ＴＸを満たすものである。
【発明の効果】
【００１１】
本発明によれば、一方の通信装置の送信機能部（送信端）と、他方の通信装置の受信機能部（受信端）とに対応する伝送路パラメータを最適化するにあたって、送信端および受信端で伝送路パラメータをそれぞれ可変設定しながら行われる伝送品質測定結果に基づいて、受信端で最適な伝送路パラメータを設定し、受信端で設定した最適な伝送路パラメータを送信端で設定する。これにより、他方の通信装置の受信機能部に対して、対向する一方の通信装置の送信機能部で設定されているものと同じ伝送路パラメータを設定しなければ品質測定ができないような通信システムにおいて、送信機能部が伝送路パラメータを変更している間に品質測定を行うことが可能となり、伝送路パラメータのネゴシエーションが可能となるとともに、上り方向通信と下り方向通信とで最適な伝送路パラメータが異なるような通信システムにおいてもネゴシエーションが可能となる通信システムおよび伝送路パラメータ設定方法を得ることができる。
【図面の簡単な説明】
【００１２】
【図１】本発明の実施の形態１における通信システムの構成例を示す構成図である。
【図２】本発明の実施の形態１における通信装置の装置制御機能部の構成例を示す構成図である。
【図３】本発明の実施の形態１における通信装置が用いる通信フレームのフレームフォーマットの一例を示す説明図である。
【図４】本発明の実施の形態１における通信システムにおいて、通信装置と通信装置との間で行われるネゴシエーション動作を示すシーケンス図である。
【図５】本発明の実施の形態１における通信装置の送信伝送路パラメータ制御部が伝送路の送信伝送路パラメータの最適値を決定する際の動作を示すフローチャートである。
【図６】本発明の実施の形態１における通信装置の受信伝送路パラメータ制御部が伝送路の受信伝送路パラメータの最適値を決定する際の動作を示すフローチャートである。
【図７】本発明の実施の形態２における通信装置の構成例を示す構成図である。
【図８】発明の実施の形態２における通信装置の装置制御機能部が、図５におけるステップＳ５０２にて、送信伝送路パラメータの試行値の値域の絞り込みを行う際の動作を示すフローチャートである。
【図９】本発明の実施の形態２における通信装置の装置制御機能部が、図６におけるステップＳ６０２にて、受信伝送路パラメータの試行値の値域の絞り込みを行う際の動作を示すフローチャートである。
【図１０】本発明の実施の形態３における通信装置の構成例を示す構成図である。
【図１１】本発明の実施の形態３における通信装置の装置制御機能部が、図５におけるステップＳ５０２にて、送信伝送路パラメータの試行値の値域の絞り込みを行う際の動作を示すフローチャートである。
【図１２】本発明の実施の形態３における通信装置の装置制御機能部が、図６におけるステップＳ６０２にて、受信伝送路パラメータの試行値の値域の絞り込みを行う際の動作を示すフローチャートである。
【発明を実施するための形態】
【００１３】
以下、本発明による通信システムおよび伝送路パラメータ設定方法を、好適な実施の形態にしたがって図面を用いて説明する。なお、図面の説明においては、同一要素には同一符号を付し、重複する説明を省略する。また、以下では、必要に応じて、通信装置の送信端で設定する伝送路パラメータを送信伝送路パラメータと称し、受信端で設定する伝送路パラメータを受信伝送路パラメータと称す。ただし、送信伝送路パラメータと受信伝送路パラメータは、同じものである。
【００１４】
実施の形態１．
本実施の形態１における通信システムについて、図１および図２を参照しながら説明する。図１は、本発明の実施の形態１における通信システムの構成例を示す構成図である。図２は、本発明の実施の形態１における通信装置１‐ｑの装置制御機能部１２‐ｑの構成例を示す構成図である。
【００１５】
本実施の形態１における通信システムは、通信装置１‐ｑ、通信装置１‐ｒ、伝送路ｑ‐ｒ‐１および伝送路ｑ‐ｒ‐２を備える。なお、図１では、ｑ＝１、ｒ＝２である場合を例示している。また、以降では、通信装置１‐ｑおよび通信装置１‐ｒは、同様の構成であるので、通信装置１‐ｑを挙げて説明する。
【００１６】
通信装置１‐ｑは、通信機能部１１‐ｑおよび装置制御機能部１２‐ｑを有する。伝送路ｑ‐ｒ‐１は、通信装置１‐ｑの送信端（送信側通信装置）と、通信装置１‐ｒの受信端（受信側通信装置）とを接続する。また、伝送路ｑ‐ｒ‐２は、通信装置１‐ｒの送信端（送信側通信装置）と、通信装置１‐ｑの受信端（受信側通信装置）とを接続する。このように、通信装置１‐ｑと通信装置１‐ｒとの間で、下り方向通信が行われる際には伝送路ｑ‐ｒ‐１が用いられ、上り方向通信が行われる際には伝送路ｑ‐ｒ‐２が用いられる。
【００１７】
続いて、通信機能部１１‐ｑの構成例について説明する。図１に示すように、通信機能部１１‐ｑは、送信伝送路パラメータ設定部１１１１‐ｑを含む送信機能部１１１‐ｑと、受信伝送路パラメータ設定部１１２１‐ｑを含む受信機能部１１２‐ｑとを有する。
【００１８】
送信伝送路パラメータ設定部１１１１‐ｑには、送信機能部１１１‐ｑが伝送路ｑ‐ｒ‐１を介して信号を送信する場合に用いられる送信伝送路パラメータＰ１‐ｑを設定される。また、受信伝送路パラメータ設定部１１２１‐ｑには、受信機能部１１２‐ｑが伝送路ｑ‐ｒ‐２を介して信号を受信する場合に用いられる受信伝送路パラメータＰ２‐ｑが設定される。
【００１９】
続いて、装置制御機能部１２‐ｑの構成例について説明する。図２に示すように、装置制御機能部１２‐ｑは、送信伝送路パラメータ制御部１２１１‐ｑおよび受信伝送路パラメータ制御部１２１２‐ｑを含む伝送路パラメータ制御部１２１‐ｑを有する。また、送信伝送路パラメータ制御部１２１１‐ｑは、送信部タイマ１２１１１‐ｑを含み、受信伝送路パラメータ制御部１２１２‐ｑは、受信部タイマ１２１２１‐ｑを含む。
【００２０】
伝送路パラメータ制御部１２１‐ｑは、送信伝送路パラメータ制御部１２１１‐ｑおよび受信伝送路パラメータ制御部１２１２‐ｑを制御する。また、送信伝送路パラメータ制御部１２１１‐ｑは、送信伝送路パラメータ設定部１１１１‐ｑを制御し、受信伝送路パラメータ制御部１２１２‐ｑは、受信伝送路パラメータ設定部１１２１‐ｑを制御する。
【００２１】
送信部タイマ１２１１１‐ｑは、送信伝送路パラメータ制御部１２１１‐ｑが送信伝送路パラメータＰ１‐ｑを決定する際に使用するタイマである。また、受信部タイマ１２１２１‐ｑは、受信伝送路パラメータ制御部１２１２‐ｑが受信伝送路パラメータＰ２‐ｑを決定する際に使用するタイマである。
【００２２】
次に、本実施の形態１における通信装置１‐ｑが用いる通信フレーム２の構成例について、図３を参照しながら説明する。図３は、本発明の実施の形態１における通信装置１‐ｑが用いる通信フレーム２のフレームフォーマットの一例を示す説明図である。
【００２３】
図３に示すように、通信フレーム２のフレームフォーマットは、オーバヘッド領域２０１、受信機能部設定伝送路パラメータ指示領域２０２（以下では、指示領域２０２と省略することがある）およびペイロード領域２０３で構成される。
【００２４】
オーバヘッド領域２０１およびペイロード領域２０３は、それぞれ、各種通信規格で定義される領域である。また、指示領域２０２は、通信フレーム２を送信した通信装置１‐ｑの受信伝送路パラメータ設定部１１２１‐ｑに対して最適な受信伝送路パラメータＰ２‐ｑが設定されている場合にその値を示す領域である。
【００２５】
次に、本実施の形態１における通信システムの動作の概要について、通信装置１‐１と通信装置１‐２とが伝送路パラメータを調整する場合を例示して、先の図１を参照しながら説明する。
【００２６】
図１において、通信装置１‐１および通信装置１‐２は、伝送路１‐２‐１と伝送路１‐２‐２とを介して接続されており、伝送路１‐２‐１を用いて下り方向通信が行われ、伝送路１‐２‐２を用いて上り方向通信が行われる。
【００２７】
ここで、下り方向通信が行われる際には、送信機能部１１１‐１は、送信伝送路パラメータ設定部１１１１‐１に対して、伝送品質をある値にするための送信伝送路パラメータＰ１‐１を設定し、通信装置１‐２に信号を送信する。一方、受信機能部１１２‐２は、受信伝送路パラメータ設定部１１２１‐２に対して、受信伝送路パラメータＰ２‐２を設定し、通信装置１‐１から信号を受信する。
【００２８】
同様に、上り方向通信が行われる際には、送信機能部１１１‐２は、送信伝送路パラメータ設定部１１１１‐２に対して、伝送品質をある値にするための送信伝送路パラメータＰ１‐２を設定し、通信装置１‐１に信号を送信する。一方、受信機能部１１２‐１は、受信伝送路パラメータ設定部１１２１‐１に対して、受信伝送路パラメータＰ２‐１を設定し、通信装置１‐２から信号を受信する。
【００２９】
通信装置１‐１と通信装置１‐２とが正常に通信することができるためには、下り方向通信において、送信伝送路パラメータＰ１‐１と受信伝送路パラメータＰ２‐２とが同じ値である必要がある。また、上り方向通信において、送信伝送路パラメータＰ１‐２と受信伝送路パラメータＰ２‐１とが同じ値である必要がある。なお、本願発明においては、下り方向通信および上り方向通信のそれぞれにおいて最適な伝送路パラメータを特定するように構成されている。したがって、上り方向通信と下り方向通信とで最適な伝送路パラメータが同じシステムにも適用可能であるし、上り方向通信と下り方向通信とで最適な伝送路パラメータが異なるようなシステムにも適用可能である。
【００３０】
換言すると、下り方向通信のために、あるレベル以上の所望の伝送品質を保つのに最適であってかつ同じ値である送信伝送路パラメータＰ１‐１と受信伝送路パラメータＰ２‐２とを設定しなければならない。また、上り方向通信のために、あるレベル以上の所望の伝送品質を保つのに最適であってかつ同じ値である送信伝送路パラメータＰ１‐２と受信伝送路パラメータＰ２‐１とを設定しなければならない。したがって、通信装置１‐１および通信装置１‐２は、互いに通信を開始する際、初めに、下り方向通信および上り方向通信のそれぞれにおいて、伝送路パラメータのネゴシエーションを行う。なお、本願発明を適用するシステムによって、上り方向通信と下り方向通信とで最適な伝送路パラメータが同じ（すなわち、Ｐ１‐１＝Ｐ２‐２＝Ｐ１‐２＝Ｐ２‐１である）場合もある。また、上り方向通信と下り方向通信とで最適な伝送路パラメータが異なる（Ｐ１‐１＝Ｐ２‐２≠Ｐ１‐２＝Ｐ２‐１）場合もある。
【００３１】
次に、下り方向通信の伝送路パラメータのネゴシエーションについて、図４を参照しながら説明する。図４は、本発明の実施の形態１における通信システムにおいて、通信装置１‐１と通信装置１‐２との間で行われるネゴシエーション動作を示すシーケンス図である。
【００３２】
なお、ここでは、上り方向通信の伝送路パラメータのネゴシエーション動作については、下り方向通信の伝送路パラメータのネゴシエーション動作と同様の動作が行われるので、説明を省略する。
【００３３】
ここで、図４において、通信フレーム２‐ｑ‐ｎ‐ｍ（ｎ＝１，２，…，Ｎ  ｍ＝０，１）は、通信装置１‐ｑが送信する先の図２に示したフォーマットの通信フレームである。すなわち、例えば、ｑ＝１であれば、通信装置１‐１が送信する通信フレームである。
【００３４】
また、図中の通信フレームにおいて、ｎは、送信伝送路パラメータＰ１‐ｑとしてｐｎが設定されていることを意味する。すなわち、例えば、ｎ＝１であれば、送信伝送路パラメータＰ１‐ｑとしてｐ１が設定されていることを意味する。さらに、図中の通信フレームにおいて、ｍ＝０は、受信伝送路パラメータＰ２‐ｑに設定するべき最適値を指示領域２０２に設定していないことを、ｍ＝１は、設定していることをそれぞれ意味する。
【００３５】
図４に示すように、ネゴシエーションが開始されると、送信機能部１１１‐１は、あらかじめ設定されたＮ個（Ｎは、１以上の整数）の送信伝送路パラメータＰ１‐１の候補値ｐｎ（ｎ＝１，２，…，Ｎ）を周期Ｔ＿ＴＸごとに順次変化させて１個ずつ設定しながら、通信フレーム２‐１‐ｎ‐ｍを送信する。
【００３６】
ここで、受信伝送路パラメータＰ２‐２の最適値が決定されていなければ、通信フレーム２‐１‐ｎ‐ｍの指示領域２０２に対して、無効値が設定される。なお、図４では、指示領域２０２に対して、無効値としてｍ＝０が設定される場合を例示している。すなわち、無効値が設定された通信フレーム２‐１‐ｎ‐ｍは、ｍ＝０として、通信フレーム２‐１‐ｎ‐０と表現されている。なお、受信伝送路パラメータＰ２‐２の最適値が決定されていれば、無効値が設定されず、指示領域２０２に対して、ｍ＝１が設定される。
【００３７】
一方、受信機能部１１２‐２は、あらかじめ設定されたＮ個（Ｎは、１以上の整数）の受信伝送路パラメータＰ２‐２の候補値（ｎ＝１，２，…，Ｎ）を周期Ｔ＿ＲＸごとに順次変化させて１個ずつ設定しながら、通信フレーム２‐１‐ｎ‐ｍを受信するともに受信時の伝送品質をそれぞれ測定する。なお、周期Ｔ＿ＴＸと周期Ｔ＿ＲＸとの関係については、Ｔ＿ＴＸ＞Ｔ＿ＲＸかつＴ＿ＴＸ≦Ｎ×Ｔ＿ＲＸが成立する。
【００３８】
また、受信機能部１１２‐２は、伝送品質の測定結果に基づいて、受信伝送路パラメータＰ２‐２のＮ個の候補値ｐｎの中から、最適な候補値を見つけ、見つけたその候補値を受信伝送路パラメータＰ２‐２の最適値として決定し固定する。同時に、送信機能部１１１‐２は、受信伝送路パラメータＰ２‐２の最適値が決定されたことと、決定された受信伝送路パラメータＰ２‐２の最適値とを示す通信フレーム２‐２‐ｎ‐ｍを生成し、通信装置１‐１に送信する。
【００３９】
なお、図４では、受信機能部１１２‐２によって決定された受信伝送路パラメータＰ２‐２の最適値がｐＮである場合を例示している。この場合、受信機能部１１２‐２は、受信伝送路パラメータＰ２‐２の最適値が決定されたことを示すためにｍ＝１とするとともに、決定された受信伝送路パラメータＰ２‐２の最適値がｐＮであることを示すためにｎ＝Ｎとすることで、通信フレーム２‐２‐Ｎ‐１を生成し、通信装置１‐１に送信する。
【００４０】
受信機能部１１２‐１は、通信装置１‐２から通信フレーム２‐２‐ｎ‐１を受信すれば、指示領域２０２に設定された受信伝送路パラメータＰ２‐２の最適値がｐＮであることを確認し、その値が送信伝送路パラメータＰ１‐１の最適値として、送信機能部１１１‐１に設定される。
【００４１】
このように、伝送路パラメータのネゴシエーションが行われた結果、通信装置１‐１の送信機能部１１１‐１は、送信伝送路パラメータ設定部１１１１‐１に対して、送信伝送路パラメータＰ１‐１の最適値としてｐＮを設定することとなる。一方、通信装置１‐２の受信機能部１１２‐２は、受信伝送路パラメータ設定部１１２１‐２に対して、受信伝送路パラメータＰ２‐２の最適値としてｐＮを設定することとなる。このように、最適であって、かつ同じ値である送信伝送路パラメータＰ１‐１と受信伝送路パラメータＰ２‐２とを設定することができる。
【００４２】
なお、図４では、送信伝送路パラメータＰ１‐１の値をＮ個設定するともに、受信伝送路パラメータＰ２‐２の値をＮ個設定し、これらの組み合わせＮ×Ｎ個の伝送品質測定結果に基づいて、受信伝送路パラメータＰ２‐２の最適値を特定する場合を例示したが、これに限定されない。すなわち、例えば、送信伝送路パラメータＰ１‐１および受信伝送路パラメータＰ２‐２のそれぞれの候補値の組み合わせのうちの、ある組み合わせにおいて特定の伝送品質測定結果が得られれば、Ｎ×Ｎ個の伝送品質測定を行わずに、特定の伝送品質測定結果が得られた段階で受信伝送路パラメータＰ２‐２の最適値を特定するように構成してもよい。このように、必ずしも、Ｎ×Ｎ個の伝送品質測定を行う必要はない。
【００４３】
また、図４では、周期Ｔ＿ＴＸと周期Ｔ＿ＲＸとの関係については、Ｔ＿ＴＸ＞Ｔ＿ＲＸかつＴ＿ＴＸ≦Ｎ×Ｔ＿ＲＸが成立するように構成する場合を例示したが、Ｔ＿ＲＸ＞Ｔ＿ＴＸかつＴ＿ＲＸ≦Ｎ×Ｔ＿ＴＸが成立するように構成してもよい。この場合、図４の例示とは反対に、受信機能部１１２‐２で受信伝送路パラメータＰ２‐２がｐ１からｐ２に変化するまでの周期Ｔ＿ＲＸの間に、送信機能部１１１‐１で周期Ｔ＿ＴＸごとに送信伝送路パラメータＰ１‐１がｐ１〜ｐＮまで変化し、それぞれの伝送品質が測定されることとなる。
【００４４】
次に、通信装置１‐ｑと通信装置１‐ｒとの間でネゴシエーションを行う際の、送信伝送路パラメータ制御部１２１１‐ｑの動作例の詳細について、図５を参照しながら説明する。図５は、本発明の実施の形態１における通信装置１‐ｑの送信伝送路パラメータ制御部１２１１‐ｑが伝送路ｑ‐ｒ‐１の送信伝送路パラメータＰ１‐ｑの最適値を決定する際の動作を示すフローチャートである。
【００４５】
はじめに、送信伝送路パラメータ制御部１２１１‐ｑによって実行される、図５におけるフローチャートの各ステップの処理内容について説明する。ステップＳ５０１は、送信伝送路パラメータ制御部１２１１‐ｑが、送信伝送路パラメータＰ１‐ｑの最適値探索を開始するステップである。
【００４６】
ステップＳ５０２は、送信伝送路パラメータ制御部１２１１‐ｑが、送信伝送路パラメータＰ１‐ｑの最適値探索を行う際に試行する値の値域を決定するステップである。また、ステップＳ５０３は、送信伝送路パラメータ制御部１２１１‐ｑが、送信部タイマ１２１１１‐ｑを起動または更新するステップである。
【００４７】
ステップＳ５０４は、送信伝送路パラメータ制御部１２１１‐ｑが、送信伝送路パラメータ設定部１１１１‐ｑに送信伝送路パラメータＰ１‐ｑ＝ｐｎを設定するステップである。また、ステップＳ５０５は、送信伝送路パラメータ制御部１２１１‐ｑが、受信伝送路パラメータＰ２‐ｑの最適値を受信伝送路パラメータ制御部１２１２‐ｑから受信したか否かを判定するステップである。
【００４８】
ステップＳ５０６は、送信伝送路パラメータ制御部１２１１‐ｑが、通信フレーム２の指示領域２０２にＰ２‐ｑの最適値を挿入するように、送信機能部１１１‐ｑに対して指示するステップである。また、ステップＳ５０７は、送信伝送路パラメータ制御部１２１１‐ｑが、送信伝送路パラメータＰ１‐ｑの最適値を受信伝送路パラメータ制御部１２１２‐ｑから受信したか否かを判定するステップである。
【００４９】
ステップＳ５０８は、送信伝送路パラメータ制御部１２１１‐ｑが、通信フレーム２‐ｑ‐ｎ‐ｍを送信するように送信機能部１１１‐ｑに対して指示するステップである。また、ステップＳ５０９は、送信伝送路パラメータ制御部１２１１‐ｑが、送信部タイマ１２１１１‐ｑが満了したか否かを判定するステップである。
【００５０】
ステップＳ５１０は、送信伝送路パラメータ制御部１２１１‐ｑが、受信伝送路パラメータＰ２‐ｑの最適値を受信伝送路パラメータ制御部１２１２‐ｑから受信したか否かを判定するステップである。また、ステップＳ５１１は、送信伝送路パラメータ制御部１２１１‐ｑが、通信フレーム２‐ｑ‐ｎ＿ｔｘｏｐｔ‐０を送信するように、送信機能部１１１‐ｑに対して指示するステップである。
【００５１】
ステップＳ５１２は、送信伝送路パラメータ制御部１２１１‐ｑが、通信フレーム２の指示領域２０２に受信伝送路パラメータＰ２‐ｑの最適値を挿入するように、送信機能部１１１‐ｑに対して指示するステップである。また、ステップＳ５１３は、送信伝送路パラメータ制御部１２１１‐ｑが、通信フレーム２‐ｑ‐ｎ＿ｔｘｏｐｔ‐１を送信するように、送信機能部１１１‐ｑに対して指示するステップである。
【００５２】
ステップＳ５１４は、送信伝送路パラメータ制御部１２１１‐ｑが、送信伝送路パラメータＰ１‐ｑの最適値探索を終了するステップである。
【００５３】
次に、通信装置１‐ｑの送信伝送路パラメータ制御部１２１１‐ｑの動作例について説明する。
【００５４】
送信伝送路パラメータ制御部１２１１‐ｑは、ネゴシエーションを開始すると（ステップＳ５０１）、送信伝送路パラメータＰ１‐ｑの候補値ｐｎ（ｎ＝１，２，…，Ｎ）を決定する（ステップＳ５０２）。なお、ここでは、候補値ｐｎの範囲（試行値域）は、あらかじめ設定されたものを用いる。
【００５５】
続いて、送信伝送路パラメータ制御部１２１１‐ｑは、送信部タイマ１２１１１‐ｑを起動する（ステップＳ５０３）。なお、送信部タイマ１２１１１‐ｑのタイマ値は、周期Ｔ＿ＴＸである。
【００５６】
送信伝送路パラメータ制御部１２１１‐ｑは、送信伝送路パラメータ設定部１１１１‐ｑに送信伝送路パラメータＰ１‐ｑ＝ｐ１を設定する（ステップＳ５０４）。
【００５７】
続いて、送信伝送路パラメータ制御部１２１１‐ｑは、受信伝送路パラメータＰ２‐ｑの最適値を、受信伝送路パラメータ制御部１２１２‐ｑから受信したか否かを判定する（ステップＳ５０５）。
【００５８】
そして、送信伝送路パラメータ制御部１２１１‐ｑは、受信伝送路パラメータＰ２‐ｑの最適値を受信していない（すなわち、ＮＯ）と判定した場合には、ステップＳ５０７へと進む。一方、送信伝送路パラメータ制御部１２１１‐ｑは、受信伝送路パラメータＰ２‐ｑの最適値を受信した（すなわち、ＹＥＳ）と判定した場合には、指示領域２０２に受信伝送路パラメータＰ２‐ｑの最適値を挿入するように、送信機能部１１１‐ｑに対して指示し（ステップＳ５０６）、ステップＳ５０７へと進む。
【００５９】
送信伝送路パラメータ制御部１２１１‐ｑは、送信伝送路パラメータＰ１‐ｑの最適値を、受信伝送路パラメータ制御部１２１２‐ｑから受信したか否かを判定する（ステップＳ５０７）。
【００６０】
そして、送信伝送路パラメータ制御部１２１１‐ｑは、送信伝送路パラメータＰ１‐ｑの最適値を受信していない（すなわち、ＮＯ）と判定した場合には、通信フレーム２‐ｑ‐ｎ‐ｍを送信するように、送信機能部１１１‐ｑに対して指示し（ステップＳ５０８）、ステップＳ５０９へと進む。一方、送信伝送路パラメータ制御部１２１１‐ｑは、送信伝送路パラメータＰ１‐ｑの最適値を受信した（すなわち、ＹＥＳ）と判定した場合には、ステップＳ５１０へと進む。この場合、送信伝送路パラメータ制御部１２１１‐ｑは、受信伝送路パラメータ制御部１２１２‐ｑから受信した送信伝送路パラメータＰ１‐ｑの最適値を、ｐｎ＿ｔｘｏｐｔとして決定する。
【００６１】
続いて、送信伝送路パラメータ制御部１２１１‐ｑは、送信部タイマ１２１１１‐ｑが満了したか否かを判定する（ステップＳ５０９）。
【００６２】
そして、送信伝送路パラメータ制御部１２１１‐ｑは、送信伝送路パラメータ制御部１２１１‐ｑは、送信部タイマ１２１１１‐ｑが満了していない（すなわち、ＮＯ）と判定した場合には、ステップＳ５０５へと戻る。一方、送信伝送路パラメータ制御部１２１１‐ｑは、送信部タイマ１２１１１‐ｑが満了した（すなわち、ＹＥＳ）と判定した場合には、ステップＳ５０３へと戻る。この場合、送信伝送路パラメータ制御部１２１１‐ｑは、送信部タイマ１２１１１‐ｑを更新し（ステップＳ５０３）、送信伝送路パラメータＰ１‐ｑの次の候補値ｐ２を送信伝送路パラメータ設定部１１１１‐ｑに設定する（ステップＳ５０４）。このように、送信伝送路パラメータ制御部１２１１‐ｑは、送信伝送路パラメータＰ１‐ｑの最適値が決定するまで、送信伝送路パラメータＰ１‐ｑの候補値ｐｎを、周期Ｔ＿ＴＸごとに繰り返し変化させる。
【００６３】
送信伝送路パラメータＰ１‐ｑの最適値がｐｎ＿ｔｘｏｐｔに決定すると（ステップＳ５０７）、送信伝送路パラメータ制御部１２１１‐ｑは、受信伝送路パラメータＰ２‐ｑの最適値が決定しその決定した値を受信伝送路パラメータ制御部１２１２‐ｑから受信したか否かを判定する（ステップＳ５１０）。
【００６４】
そして、送信伝送路パラメータ制御部１２１１‐ｑは、受信伝送路パラメータＰ２‐ｑの最適値を受信していない（すなわち、ＮＯ）と判定した場合には、通信フレーム２‐ｑ‐ｎ＿ｔｘｏｐｔ‐０を送信するように、送信機能部１１１‐ｑに対して指示し（ステップＳ５１１）、ステップＳ５１０に戻る。このように、受信伝送路パラメータＰ２‐ｑの最適値が決定しない間においては、送信伝送路パラメータ制御部１２１１‐ｑは、通信フレーム２‐ｑ‐ｎ＿ｔｘｏｐｔ‐０を送信するように、送信機能部１１１‐ｑに対して順次指示する。一方、送信伝送路パラメータ制御部１２１１‐ｑは、受信伝送路パラメータＰ２‐ｑの最適値を受信した（すなわち、ＹＥＳ）と判定した場合には、ステップＳ５１２へと進む。この場合、受信伝送路パラメータＰ２‐ｑの最適値が決定することとなる。
【００６５】
続いて、受信伝送路パラメータＰ２‐ｑの最適値が決定すると（ステップＳ５１０）、送信伝送路パラメータ制御部１２１１‐ｑは、指示領域２０２に受信伝送路パラメータＰ２‐ｑの最適値を挿入するように、送信機能部１１１‐ｑに対して指示する（ステップＳ５１２）。
【００６６】
送信伝送路パラメータ制御部１２１１‐ｑは、通信フレーム２‐ｑ‐ｎ＿ｔｘｏｐｔ‐１を送信するように、送信機能部１１１‐ｑに対して指示し（ステップＳ５１３）、ネゴシエーションを終了する（ステップＳ５１４）。
【００６７】
次に、通信装置１‐ｑと通信装置１‐ｒとの間でネゴシエーションを行う際の、受信伝送路パラメータ制御部１２１２‐ｑの動作例の詳細について、図６を参照しながら説明する。図６は、本発明の実施の形態１における通信装置１‐ｑの受信伝送路パラメータ制御部１２１２‐ｑが伝送路ｑ‐ｒ‐２の受信伝送路パラメータＰ２‐ｑの最適値を決定する際の動作を示すフローチャートである。
【００６８】
はじめに、受信伝送路パラメータ制御部１２１２‐ｑによって実行される、図６におけるフローチャートの各ステップの処理内容について説明する。ステップＳ６０１は、受信伝送路パラメータ制御部１２１２‐ｑが、受信伝送路パラメータＰ２‐ｑの最適値探索を開始するステップである。
【００６９】
ステップＳ６０２は、受信伝送路パラメータ制御部１２１２‐ｑが、受信伝送路パラメータＰ２‐ｑの最適値探索を行う際に試行する値の値域を決定するステップである。また、ステップＳ６０３は、受信伝送路パラメータ制御部１２１２‐ｑが、受信部タイマ１２１２１−ｑを起動または更新するステップである。
【００７０】
ステップＳ６０４は、受信伝送路パラメータ制御部１２１２‐ｑが、受信伝送路パラメータ設定部１１２１−ｑに受信伝送路パラメータＰ２−ｑ＝ｐｎを設定するステップである。また、ステップＳ６０５は、受信伝送路パラメータ制御部１２１２‐ｑが、受信機能部１１２‐ｑが通信フレーム２‐ｒ‐ｎ‐ｍを受信した旨の通知を受けるステップである。
【００７１】
ステップＳ６０６は、受信伝送路パラメータ制御部１２１２‐ｑが、伝送品質測定を実施するように、受信機能部１１２‐ｑに対して指示するステップである。また、ステップＳ６０７は、受信伝送路パラメータ制御部１２１２‐ｑが、受信伝送路パラメータＰ２‐ｑの最適値が決定したか否かを判定するステップである。
【００７２】
ステップＳ６０８は、受信伝送路パラメータ制御部１２１２‐ｑが、受信部タイマ１２１２１‐ｑが満了したか否かを判定するステップである。また、ステップＳ６０９は、受信伝送路パラメータ制御部１２１２‐ｑが、受信伝送路パラメータ設定部１１２１−ｑに受信伝送路パラメータＰ２−ｑの最適値を設定するステップである。
【００７３】
ステップＳ６１０は、受信伝送路パラメータ制御部１２１２‐ｑが、受信伝送路パラメータＰ２−ｑの最適値が決定した旨を送信伝送路パラメータ制御部１２１１‐ｑへ通知するステップである。また、ステップＳ６１１は、受信伝送路パラメータ制御部１２１２‐ｑが、送信伝送路パラメータＰ１‐ｑの最適値が決定したか否かを判定するステップである。
【００７４】
ステップＳ６１２は、受信伝送路パラメータ制御部１２１２‐ｑが、受信機能部１１２‐ｑが通信フレーム２‐ｒ‐ｎ‐ｍを受信した旨の通知を受けるステップである。また、ステップＳ６１３は、受信伝送路パラメータ制御部１２１２‐ｑが、送信伝送路パラメータＰ１−ｑの最適値が決定した旨を送信伝送路パラメータ制御部１２１１‐ｑへ通知するステップである。
【００７５】
ステップＳ６１４は、受信伝送路パラメータ制御部１２１２‐ｑが、受信伝送路パラメータＰ２‐ｑの最適値探索を終了するステップである。
【００７６】
次に、通信装置１‐ｑの受信伝送路パラメータ制御部１２１２‐ｑの動作例について説明する。
【００７７】
受信伝送路パラメータ制御部１２１２‐ｑは、ネゴシエーションを開始すると（ステップＳ６０１）、受信伝送路パラメータＰ２‐ｑの候補値ｐｎ（ｎ＝１，２，…，Ｎ）を決定する（ステップＳ６０２）。なお、ここでは、候補値ｐｎの範囲（試行値域）は、あらかじめ設定されたものを用いる。
【００７８】
続いて、受信伝送路パラメータ制御部１２１２‐ｑは、受信部タイマ１２１２１‐ｑを起動する（ステップＳ６０３）。なお、受信部タイマ１２１２１‐ｑのタイマ値は、Ｔ＿ＲＸである。
【００７９】
受信伝送路パラメータ制御部１２１２‐ｑは、受信伝送路パラメータ設定部１１２１‐ｑに受信伝送路パラメータＰ２‐ｑ＝ｐ１を設定する（ステップＳ６０４）。
【００８０】
続いて、受信機能部１１２‐ｑが通信フレーム２‐ｒ‐ｎ‐ｍを受信し（ステップＳ６０５）、伝送品質の測定を行うと（ステップＳ６０６）、受信伝送路パラメータ制御部１２１２‐ｑは、伝送品質測定結果から受信伝送路パラメータＰ２‐ｑの最適値が決定されているか否かを判定する（ステップＳ６０７）。
【００８１】
そして、受信伝送路パラメータ制御部１２１２‐ｑは、受信伝送路パラメータＰ２‐ｑの最適値が決定されていない（すなわち、ＮＯ）と判定した場合には、ステップＳ６０８へと進む。一方、受信伝送路パラメータ制御部１２１２‐ｑは、受信伝送路パラメータＰ２‐ｑの最適値が決定されている（すなわち、ＹＥＳ）と判定した場合には、ステップＳ６０９へと進む。この場合、受信伝送路パラメータ制御部１２１２‐ｑは、伝送品質測定結果から決定された受信伝送路パラメータＰ２‐ｑの最適値を、ｐｎ＿ｒｘｏｐｔとして決定する。
【００８２】
受信伝送路パラメータ制御部１２１２‐ｑは、受信部タイマ１２１２１‐ｑが満了したか否かを判定する（ステップＳ６０８）。
【００８３】
そして、受信伝送路パラメータ制御部１２１２‐ｑは、受信部タイマ１２１２１‐ｑが満了していない（すなわち、ＮＯ）と判定した場合には、ステップＳ６０５へと戻る。一方、受信伝送路パラメータ制御部１２１２‐ｑは、受信部タイマ１２１２１‐ｑが満了した（すなわち、ＹＥＳ）と判定した場合には、ステップＳ６０３へと戻る。この場合、受信伝送路パラメータ制御部１２１２‐ｑは、受信部タイマ１２１２１‐ｑを更新し（ステップＳ６０３）、受信伝送路パラメータＰ２‐ｑの次の候補値ｐ２を受信伝送路パラメータ設定部１１２１‐ｑに設定する（ステップＳ６０４）。このように、受信伝送路パラメータ制御部１２１２‐ｑは、受信伝送路パラメータＰ２‐ｑの最適値が決定するまで、受信伝送路パラメータＰ２‐ｑの候補値ｐｎを、周期Ｔ＿ＲＸごとに繰り返し変化させる。
【００８４】
続いて、受信伝送路パラメータＰ２‐ｑの最適値がｐｎ＿ｒｘｏｐｔに決定すると（ステップＳ６０７）、受信伝送路パラメータ制御部１２１２‐ｑは、受信伝送路パラメータＰ２‐ｑの最適値ｐｎ＿ｒｘｏｐｔを受信伝送路パラメータ設定部１１２１‐ｑに設定する（ステップＳ６０９）。
【００８５】
受信伝送路パラメータ制御部１２１２‐ｑは、受信伝送路パラメータＰ２‐ｑの最適値が決定した旨とその値ｐｎ＿ｒｘｏｐｔとを、送信伝送路パラメータ制御部１２１１‐ｑへ通知する（ステップＳ６１０）。
【００８６】
続いて、受信伝送路パラメータ制御部１２１２‐ｑは、受信した通信フレーム２の指示領域２０２を確認し、送信伝送路パラメータＰ１‐ｑの最適値が決定されているか否かを判定する（ステップＳ６１１）。
【００８７】
そして、受信伝送路パラメータ制御部１２１２‐ｑは、送信伝送路パラメータＰ１‐ｑの最適値が決定されていない（すなわち、ＮＯ）と判定した場合には、通信フレーム２‐ｒ‐ｎ‐ｍを受信し（ステップＳ６１２）、ステップＳ６１１へと戻る。このように、送信伝送路パラメータＰ１‐ｑの最適値が決定しない間においては、受信伝送路パラメータ制御部１２１２‐ｑは、指示領域２０２の確認を繰り返す（ステップＳ６１１）。一方、受信伝送路パラメータ制御部１２１２‐ｑは、送信伝送路パラメータＰ１‐ｑの最適値が決定されている（すなわち、ＹＥＳ）と判定した場合には、ステップＳ６１３へと進む。この場合、送信伝送路パラメータＰ１‐ｑの最適値が決定することとなる。
【００８８】
送信伝送路パラメータＰ１‐ｑの最適値が決定すると（ステップＳ６１１）、受信伝送路パラメータ制御部１２１２‐ｑは、送信伝送路パラメータＰ１‐ｑの最適値が決定した旨とその値ｐｎ＿ｔｘｏｐｔとを、送信伝送路パラメータ制御部１２１１‐ｑへ通知し（ステップＳ６１３）、ネゴシエーションを終了する（ステップＳ６１４）。
【００８９】
以上、本実施の形態１によれば、送信端および受信端を有する通信装置を１対備え、一方の通信装置の送信端と他方の通信装置の受信端とが伝送路を介して互いに接続されている通信システムであって、一方の通信装置は、他方の通信装置と伝送路パラメータのネゴシエーションを行う場合に、あるレベル以上の所望の伝送品質を保つために自身の送信端で設定されるべき最適な伝送路パラメータの候補として、Ｎ個（Ｎは、１以上の整数）の候補伝送路パラメータを周期Ｔ＿ＴＸごとに順次変化させながら１個ずつ自身の送信端で設定するとともに、候補伝送路パラメータを１個ずつ設定するごとに他方の通信装置と通信をする。
【００９０】
また、他方の通信装置は、一方の通信装置と伝送路パラメータのネゴシエーションを行う場合に、所望の伝送品質を保つために自身の受信端で設定されるべき最適な伝送路パラメータの候補として、Ｎ個の候補伝送路パラメータを周期Ｔ＿ＲＸごとに順次変化させながら１個ずつ自身の受信端で設定するとともに、候補伝送路パラメータを１個ずつ設定するごとに一方の通信装置との通信の結果として伝送品質を測定し、伝送品質の測定結果に基づいて、Ｎ個の候補伝送路パラメータの中から、最適な伝送路パラメータを特定し、特定した最適な伝送路パラメータを自身の受信端で設定するとともに一方の通信装置に対して特定した最適な伝送路パラメータを通知する。
【００９１】
さらに、一方の通信装置は、他方の通信装置から最適な伝送路パラメータが通知された場合、通知された最適な伝送路パラメータを、自身の送信端で設定し、周期Ｔ＿ＴＸおよび周期Ｔ＿ＲＸの関係は、Ｔ＿ＴＸ＞Ｔ＿ＲＸかつＴ＿ＴＸ≦Ｎ×Ｔ＿ＲＸ、または、Ｔ＿ＲＸ＞Ｔ＿ＴＸかつＴ＿ＲＸ≦Ｎ×Ｔ＿ＴＸを満たす。
【００９２】
これにより、他方の通信装置の受信機能部に対して、対向する一方の通信装置の送信機能部で設定されているものと同じ伝送路パラメータを設定しなければ品質測定ができないような通信システムにおいて、同じ伝送路パラメータを設定しなくても品質測定ができるように構成したので、送信機能部が伝送路パラメータを変更している間に品質測定を行うことが可能となり、伝送路パラメータのネゴシエーションが可能となる。また、上り方向通信と下り方向通信とで最適な伝送路パラメータが異なるような通信システムにおいても、ネゴシエーションが可能となり、上り方向および下り方向のそれぞれの方向の通信において、最適な伝送路パラメータをそれぞれ設定することができる。
【００９３】
実施の形態２．
先の実施の形態１では、ネゴシエーションを行う際の伝送路パラメータの候補値は、あらかじめ設定された値を全て用いるものである場合について説明した。これに対して、本発明の実施の形態２では、設定する伝送路の通信特性に応じて伝送路パラメータの候補値を絞り込む場合について説明する。
【００９４】
図７は、本発明の実施の形態２における通信装置１‐ｑの構成例を示す構成図である。本実施の形態２における通信装置１‐ｑは、送信機能部１１１‐ｑおよび受信機能部１１２‐ｑを含む通信機能部１１‐ｑと、伝送路パラメータ制御部１２１‐ｑおよび伝送路管理部１２２‐ｑを含む装置制御機能部１２‐ｑと、管理装置インタフェース部１３‐ｑとを有する。
【００９５】
なお、本実施の形態２において、通信機能部１１‐ｑと、装置制御機能部１２‐ｑの伝送路パラメータ制御部１２１‐ｑとは、それぞれ、先の実施の形態１（先の図１）の構成と同様である。
【００９６】
装置制御機能部１２‐ｑの伝送路管理部１２２‐ｑは、伝送路ｑ‐ｒ‐１および伝送路ｑ‐ｒ‐２の情報（以下では、伝送路情報と称すことがある）を管理する。
【００９７】
管理装置インタフェース部１３−ｑは、通信装置１−ｑの外部に設けられる。また、管理装置インタフェース部１３‐ｑは、複数の通信装置１−ｑから構成されるネットワークを管理する管理装置（図示せず）との通信を担う。
【００９８】
次に、本実施の形態２における通信装置１‐ｑの動作の概要について、先の実施の形態１における通信装置１‐ｑと比較しながら説明する。本実施の形態２における通信装置１‐ｑの動作について、基本的には、先の実施の形態１における通信装置１‐ｑの動作と同様である。ここで、先の実施の形態１と本実施の形態２との相違点としては、以下のようになる。
【００９９】
すなわち、先の実施の形態１では、先の図５、図６におけるフローチャートのステップＳ５０２およびステップＳ６０２にて、送信伝送路パラメータ制御部１２１１‐ｑおよび受信伝送路パラメータ制御部１２１２‐ｑが、それぞれ、送信伝送路パラメータＰ１‐ｑおよび受信伝送路パラメータＰ２‐ｑの最適値探索を行う際に試行する値の値域を決定する際、その値域はあらかじめ設定されている値を用いていた。
【０１００】
これに対して、本実施の形態２では、ステップＳ５０２およびステップＳ６０２にて、管理装置から取得した伝送路情報に基づいて、送信伝送路パラメータＰ１‐ｑおよび受信伝送路パラメータＰ２‐ｑの最適値探索を行う際に試行する値の値域の絞り込みを行う。
【０１０１】
次に、送信伝送路パラメータＰ１‐ｑおよび受信伝送路パラメータＰ２‐ｑの最適値探索を行う際に試行する値の値域の絞り込みについて、図８および図９を参照しながら説明する。図８は、本発明の実施の形態２における通信装置１‐ｑの装置制御機能部１２‐ｑが、図５におけるステップＳ５０２にて、送信伝送路パラメータＰ１‐ｑの試行値の値域の絞り込みを行う際の動作を示すフローチャートである。図９は、本発明の実施の形態２における通信装置１‐ｑの装置制御機能部１２‐ｑが、図６におけるステップＳ６０２にて、受信伝送路パラメータＰ２‐ｑの試行値の値域の絞り込みを行う際の動作を示すフローチャートである。
【０１０２】
はじめに、装置制御機能部１２‐ｑによって実行される、図８におけるフローチャートの各ステップの処理内容について説明する。ステップＳ８０１は、装置制御機能部１２‐ｑが送信伝送路パラメータＰ１‐ｑの試行値の値域の絞り込みを開始するステップである。
【０１０３】
ステップＳ８０２は、伝送路管理部１２２‐ｑが管理装置インタフェース部１３‐ｑを介して管理装置に伝送路ｑ‐ｒ‐１の情報を問い合わせるステップである。また、ステップＳ８０３は、伝送路管理部１２２‐ｑが管理装置から取得した伝送路ｑ‐ｒ‐１の情報を保持するステップである。
【０１０４】
ステップＳ８０４は、伝送路管理部１２２‐ｑが管理装置から取得した伝送路ｑ‐ｒ‐１の情報に基づいて、送信伝送路パラメータＰ１‐ｑの試行値域を決定するステップである。また、ステップＳ８０５は、伝送路管理部１２２‐ｑが決定した送信伝送路パラメータＰ１‐ｑの試行値域を送信伝送路パラメータ制御部１２１１‐ｑに通知するステップである。
【０１０５】
ステップＳ８０６は、装置制御機能部１２‐ｑが送信伝送路パラメータＰ１‐ｑの試行値の値域の絞り込みを終了するステップである。
【０１０６】
続いて、装置制御機能部１２‐ｑによって実行される、図９におけるフローチャートの各ステップの処理内容について説明する。ステップＳ９０１は、装置制御機能部１２‐ｑが受信伝送路パラメータＰ２‐ｑの試行値の値域の絞り込みを開始するステップである。
【０１０７】
ステップＳ９０２は、伝送路管理部１２２‐ｑが管理装置インタフェース部１３‐ｑを介して管理装置に伝送路ｑ‐ｒ‐２の情報を問い合わせるステップである。また、ステップＳ９０３は、伝送路管理部１２２‐ｑが管理装置から取得した伝送路ｑ‐ｒ‐２の情報を保持するステップである。
【０１０８】
ステップＳ９０４は、伝送路管理部１２２‐ｑが管理装置から取得した伝送路ｑ‐ｒ‐２の情報に基づいて、受信伝送路パラメータＰ２‐ｑの試行値域を決定するステップである。また、ステップＳ９０５は、伝送路管理部１２２‐ｑが決定した受信伝送路パラメータＰ２‐ｑの試行値域を受信伝送路パラメータ制御部１２１２‐ｑに通知するステップである。
【０１０９】
ステップＳ９０６は、装置制御機能部１２‐ｑが送信伝送路パラメータＰ１‐ｑの試行値の値域の絞り込みを終了するステップである。
【０１１０】
次に、本実施の形態２における通信装置１‐ｑの装置制御機能部１２‐ｑによる送信伝送路パラメータＰ１‐ｑおよび受信伝送路パラメータＰ２‐ｑのそれぞれの試行値の値域の絞り込みの動作例について説明する。
【０１１１】
先の図５におけるステップＳ５０２では、図８に示すように、装置制御機能部１２‐ｑが、送信伝送路パラメータＰ１‐ｑの試行値の値域の絞り込みを行う。
【０１１２】
装置制御機能部１２‐ｑが送信伝送路パラメータＰ１‐ｑの試行値の値域の絞り込みを開始すると（ステップＳ８０１）、伝送路管理部１２２‐ｑが管理装置インタフェース部１３‐ｑを介して管理装置に伝送路ｑ‐ｒ‐１の情報を問い合わせる（ステップＳ８０２）。
【０１１３】
続いて、伝送路管理部１２２‐ｑは、管理装置から伝送路ｑ‐ｒ‐１の情報を取得すると、それを保持する（ステップＳ８０３）。
【０１１４】
伝送路管理部１２２‐ｑは、管理装置から取得した伝送路ｑ‐ｒ‐１の情報に基づいて、送信伝送路パラメータＰ１‐ｑの試行値域を決定する（ステップＳ８０４）。
【０１１５】
なお、このときの試行値域の決定方法は、例えば、あらかじめ保持されている伝送路情報と試行値域との対応テーブルを検索する方法であってもよいし、伝送路情報をあらかじめ保持された数式の引数とすることで試行値域を算出する方法であってもよい。また、試行値域の決定方法はこれらの特定の方法に限定されず、管理装置から取得した伝送路ｑ‐ｒ‐１の情報に基づいて、送信伝送路パラメータＰ１‐ｑの試行値域を決定することができればどのような方法であってもよい。
【０１１６】
続いて、伝送路管理部１２２‐ｑは、決定した送信伝送路パラメータＰ１‐ｑの試行値域を送信伝送路パラメータ制御部１２１１‐ｑに通知すると（ステップＳ８０５）、本動作フローを終了する（ステップＳ８０６）。
【０１１７】
また、先の図６におけるステップＳ６０２では、図９に示すように、装置制御機能部１２‐ｑが、受信伝送路パラメータＰ２‐ｑの試行値の値域の絞り込みを行う。
【０１１８】
装置制御機能部１２‐ｑが受信伝送路パラメータＰ２‐ｑの試行値の値域の絞り込みを開始すると（ステップＳ９０１）、伝送路管理部１２２‐ｑが管理装置インタフェース部１３‐ｑを介して管理装置に伝送路ｑ‐ｒ‐２の情報を問い合わせる（ステップＳ９０２）。
【０１１９】
続いて、伝送路管理部１２２‐ｑは、管理装置から伝送路ｑ‐ｒ‐２の情報を取得すると、それを保持する（ステップＳ９０３）。
【０１２０】
伝送路管理部１２２‐ｑは、管理装置から取得した伝送路ｑ‐ｒ‐２の情報に基づいて、受信伝送路パラメータＰ２‐ｑの試行値域を決定する（ステップＳ９０４）。
【０１２１】
なお、このときの試行値域の決定方法は、例えば、あらかじめ保持されている伝送路情報と試行値域との対応テーブルを検索する方法であってもよいし、伝送路情報をあらかじめ保持された数式の引数とすることで試行値域を算出する方法であってもよい。また、試行値域の決定方法はこれらの特定の方法に限定されず、管理装置から取得した伝送路ｑ‐ｒ‐２の情報に基づいて、受信伝送路パラメータＰ２‐ｑの試行値域を決定することができればどのような方法であってもよい。
【０１２２】
続いて、伝送路管理部１２２‐ｑは、決定した受信伝送路パラメータＰ２‐ｑの試行値域を受信伝送路パラメータ制御部１２１２‐ｑに通知すると（ステップＳ９０５）、本動作フローを終了する（ステップＳ９０６）。
【０１２３】
以上、本実施の形態２によれば、一対の通信装置を含んで構成されるネットワークを管理する管理装置をさらに備え、一方の通信装置および他方の通信装置のそれぞれは、管理装置と通信し、管理装置から伝送路の通信特性に関する情報を取得し、取得した情報に基づいて、順次変化させる候補伝送路パラメータの値域を絞り込む。
【０１２４】
これにより、先の実施の形態１と同様の効果が得られるとともに、管理装置から取得した伝送路の情報に基づいて、各伝送路パラメータの試行値域の絞り込みを行うことにより、ネゴシエーションに要する時間を短縮することが可能となる。
【０１２５】
実施の形態３．
先の実施の形態２では、管理装置から伝送路の情報を取得することで、先の図５におけるステップＳ５０２、先の図６におけるステップＳ６０２にて伝送路パラメータの候補値を絞り込む場合について説明した。これに対して、本発明の実施の形態３では、伝送路に収容される信号の特性情報を通信装置自身から得ることで、その情報に応じて伝送路パラメータの候補値を絞り込む場合について説明する。
【０１２６】
図１０は、本発明の実施の形態３における通信装置１‐ｑの構成例を示す構成図である。本実施の形態３における通信装置１‐ｑは、送信機能部１１１‐ｑおよび受信機能部１１２‐ｑを含む通信機能部１１‐ｑと、伝送路パラメータ制御部１２１‐ｑおよび伝送路管理部１２２‐ｑを含む装置制御機能部１２‐ｑと、クライアント信号送信機能部１４１‐ｑおよびクライアント信号受信機能部１４２‐ｑを含むクライアント信号収容機能部１４‐ｑとを有する。
【０１２７】
なお、本実施の形態３において、通信機能部１１−ｑと、装置制御機能部１２‐ｑとは、それぞれ、先の実施の形態２（先の図７）の構成と同様である。
【０１２８】
クライアント信号収容機能部１４‐ｑは、通信装置１−ｑの外部に設けられる。また、クライアント信号収容機能部１４‐ｑは、通信フレーム２のペイロード領域２０３にその信号を収容されるクライアント装置（図示せず）の信号を収容する。
【０１２９】
クライアント信号収容機能部１４‐ｑのクライアント信号送信機能部１４１‐ｑは、クライアント装置に対して信号を送信する。また、クライアント信号受信機能部１４２‐ｑは、クライアント装置から信号を受信する。
【０１３０】
次に、本実施の形態３における通信装置１‐ｑの動作の概要について、先の実施の形態１における通信装置１‐ｑと比較しながら説明する。本実施の形態３における通信装置１‐ｑの動作について、基本的には、先の実施の形態１における通信装置１‐ｑの動作と同様である。ここで、先の実施の形態１と本実施の形態３との相違点としては、以下のようになる。
【０１３１】
すなわち、先の実施の形態１では、先の図５、図６におけるフローチャートのステップＳ５０２およびステップＳ６０２にて、送信伝送路パラメータ制御部１２１１‐ｑおよび受信伝送路パラメータ制御部１２１２‐ｑが、それぞれ、送信伝送路パラメータＰ１‐ｑおよび受信伝送路パラメータＰ２‐ｑの最適値探索を行う際に試行する値の値域を決定する際、その値域はあらかじめ設定されている値を用いていた。
【０１３２】
これに対して、本実施の形態３では、ステップＳ５０２およびステップＳ６０２にて、クライアント信号収容機能部１４‐ｑから取得したクライアント信号の情報に基づいて、送信伝送路パラメータＰ１‐ｑおよび受信伝送路パラメータＰ２‐ｑの最適値探索を行う際に試行する値の値域の絞り込みを行う。
【０１３３】
次に、送信伝送路パラメータＰ１‐ｑおよび受信伝送路パラメータＰ２‐ｑの最適値探索を行う際に試行する値の値域の絞り込みについて、図１１および図１２を参照しながら説明する。図１１は、本発明の実施の形態３における通信装置１‐ｑの装置制御機能部１２‐ｑが、図５におけるステップＳ５０２にて、送信伝送路パラメータＰ１‐ｑの試行値の値域の絞り込みを行う際の動作を示すフローチャートである。図１２は、本発明の実施の形態３における通信装置１‐ｑの装置制御機能部１２‐ｑが、図６におけるステップＳ６０２にて、受信伝送路パラメータＰ２‐ｑの試行値の値域の絞り込みを行う際の動作を示すフローチャートである。
【０１３４】
はじめに、装置制御機能部１２‐ｑによって実行される、図１１におけるフローチャートの各ステップの処理内容について説明する。ステップＳ１１０１は、装置制御機能部１２‐ｑが送信伝送路パラメータＰ１‐ｑの試行値の値域の絞り込みを開始するステップである。
【０１３５】
ステップＳ１１０２は、伝送路管理部１２２‐ｑがクライアント信号受信機能部１４２−ｑにクライアント装置から受信しているクライアント信号の情報を問い合わせるステップである。また、ステップＳ１１０３は、伝送路管理部１２２‐ｑがクライアント信号受信機能部１４２−ｑから取得したクライアント装置から受信しているクライアント信号の情報を保持するステップである。
【０１３６】
ステップＳ１１０４は、伝送路管理部１２２‐ｑがクライアント装置から受信しているクライアント信号の情報に基づいて、対応する伝送路の送信伝送路パラメータＰ１‐ｑの試行値域を決定するステップである。また、ステップＳ１１０５は、伝送路管理部１２２‐ｑが決定した送信伝送路パラメータＰ１‐ｑの試行値域を送信伝送路パラメータ制御部１２１１‐ｑに通知するステップである。
【０１３７】
ステップＳ１１０６は、装置制御機能部１２‐ｑが送信伝送路パラメータＰ１‐ｑの試行値の値域の絞り込みを終了するステップである。
【０１３８】
続いて、装置制御機能部１２‐ｑによって実行される、図１２におけるフローチャートの各ステップの処理内容について説明する。ステップＳ１２０１は、装置制御機能部１２‐ｑが受信伝送路パラメータＰ２‐ｑの試行値の値域の絞り込みを開始するステップである。
【０１３９】
ステップＳ１２０２は、伝送路管理部１２２‐ｑがクライアント信号送信機能部１４１−ｑにクライアント装置へ送信しているクライアント信号の情報を問い合わせるステップである。また、ステップＳ１２０３は、伝送路管理部１２２‐ｑがクライアント信号送信機能部１４１−ｑから取得したクライアント装置へ送信しているクライアント信号の情報を保持するステップである。
【０１４０】
ステップＳ１２０４は、伝送路管理部１２２‐ｑがクライアント装置へ送信しているクライアント信号の情報に基づいて、対応する伝送路の受信伝送路パラメータＰ２‐ｑの試行値域を決定するステップである。また、ステップＳ１２０５は、伝送路管理部１２２‐ｑが決定した受信伝送路パラメータＰ２‐ｑの試行値域を受信伝送路パラメータ制御部１２１２‐ｑに通知するステップである。
【０１４１】
ステップＳ１２０６は、装置制御機能部１２‐ｑが受信伝送路パラメータＰ２‐ｑの試行値の値域の絞り込みを終了するステップである。
【０１４２】
次に、本実施の形態３における通信装置１‐ｑの装置制御機能部１２‐ｑによる送信伝送路パラメータＰ１‐ｑおよび受信伝送路パラメータＰ２‐ｑのそれぞれの試行値の値域の絞り込みの動作例について説明する。
【０１４３】
先の図５におけるステップＳ５０２では、図１１に示すように、装置制御機能部１２‐ｑが、送信伝送路パラメータＰ１‐ｑの試行値の値域の絞り込みを行う。
【０１４４】
装置制御機能部１２‐ｑが送信伝送路パラメータＰ１‐ｑの試行値の値域の絞り込みを開始すると（ステップＳ１１０１）、伝送路管理部１２２‐ｑがクライアント信号受信機能部１４２−ｑに、クライアント信号受信機能部１４２−ｑでクライアント装置から受信しているクライアント信号の情報を問い合わせる（ステップＳ１１０２）。
【０１４５】
続いて、伝送路管理部１２２‐ｑは、クライアント信号受信機能部１４２−ｑから、受信しているクライアント信号の情報を取得すると、それを保持する（ステップＳ１１０３）。
【０１４６】
伝送路管理部１２２‐ｑはクライアント信号受信機能部１４２−ｑから取得した、受信しているクライアント信号の情報に基づいて、対応する伝送路の送信伝送路パラメータＰ１‐ｑの試行値域を決定する（ステップＳ１１０４）。
【０１４７】
なお、このときの試行値域の決定方法は、例えば、あらかじめ保持されているクライアント信号情報と試行値域との対応テーブルを検索する方法であってもよいし、クライアント信号情報をあらかじめ保持された数式の引数とすることで試行値域を算出する方法であってもよい。また、試行値域の決定方法はこれらの特定の方法に限定されず、クライアント信号受信機能部１４２−ｑから取得した、受信しているクライアント信号の情報に基づいて、対応する伝送路の送信伝送路パラメータＰ１‐ｑの試行値域を決定することができればどのような方法であってもよい。
【０１４８】
続いて、伝送路管理部１２２‐ｑは、決定した送信伝送路パラメータＰ１‐ｑの試行値域を送信伝送路パラメータ制御部１２１１‐ｑに通知すると（ステップＳ１１０５）、本動作フローを終了する（ステップＳ１１０６）。
【０１４９】
また、先の図６におけるステップＳ６０２では、図１２に示すように、装置制御機能部１２‐ｑが、受信伝送路パラメータＰ２‐ｑの試行値の値域の絞り込みを行う。
【０１５０】
装置制御機能部１２‐ｑが受信伝送路パラメータＰ２‐ｑの試行値の値域の絞り込みを開始すると（ステップＳ１２０１）、伝送路管理部１２２‐ｑがクライアント信号送信機能部１４１−ｑに、クライアント信号送信機能部１４１−ｑでクライアント装置へ送信しているクライアント信号の情報を問い合わせる（ステップＳ１２０２）。
【０１５１】
続いて、伝送路管理部１２２‐ｑは、クライアント信号送信機能部１４１−ｑから、送信しているクライアント信号の情報を取得すると、それを保持する（ステップＳ１２０３）。
【０１５２】
伝送路管理部１２２‐ｑは、クライアント信号送信機能部１４１−ｑから取得した、送信しているクライアント信号の情報に基づいて、対応する伝送路の受信伝送路パラメータＰ２‐ｑの試行値域を決定する（ステップＳ１２０４）。
【０１５３】
なお、このときの試行値域の決定方法は、例えば、あらかじめ保持されているクライアント信号情報と試行値域との対応テーブルを検索する方法であってもよいし、クライアント信号情報をあらかじめ保持された数式の引数とすることで試行値域を算出する方法であってもよい。また、試行値域の決定方法はこれらの特定の方法に限定されず、クライアント信号送信機能部１４１−ｑから取得した、送信しているクライアント信号の情報に基づいて、対応する伝送路の受信伝送路パラメータＰ２‐ｑの試行値域を決定することができればどのような方法であってもよい。
【０１５４】
続いて、伝送路管理部１２２‐ｑは、決定した受信伝送路パラメータＰ２‐ｑの試行値域を受信伝送路パラメータ制御部１２１２‐ｑに通知すると（ステップＳ１２０５）、本動作フローを終了する（ステップＳ１２０６）。
【０１５５】
以上、本実施の形態３によれば、  クライアント装置をさらに備え、一方の通信装置および他方の通信装置のそれぞれは、クライアント装置に対して第１のクライアント信号を送信するともに、クライアント装置から第２のクライアント信号を受信し、第１のクライアント信号および第２のクライアント信号の情報に基づいて、順次変化させる候補伝送路パラメータの値域を絞り込む。
【０１５６】
これにより、先の実施の形態１と同様の効果が得られるとともに、通信装置自身から得た伝送路に収容される信号の特性情報に基づいて、各伝送路パラメータの試行値域の絞り込みを行うことにより、ネゴシエーションに要する時間を短縮することが可能となる。
【０１５７】
なお、本実施の形態１〜３では、本願発明を有線通信システムへ適用する場合を例示して説明したが、本願発明を適用することが可能な通信システムは、この限りではなく、例えば、無線通信システムへ適用してもよい。
【符号の説明】
【０１５８】
１‐ｑ，１‐ｒ  通信装置、１‐ｑ‐ｒ‐１，１‐ｑ‐ｒ‐２  伝送路、２  通信フレーム、１１‐ｑ  通信機能部、１２‐ｑ  装置制御機能部、１３‐ｑ  管理装置インタフェース部、１４‐ｑ  クライアント信号収容機能部、１１１‐ｑ  送信機能部、１１２‐ｑ  受信機能部、１２１‐ｑ  伝送路パラメータ制御部、１２２‐ｑ  伝送路管理部、１４１‐ｑ  クライアント信号送信機能部、１４２‐ｑ  クライアント信号受信機能部、２０１  オーバヘッド領域、２０２  受信機能部設定伝送路パラメータ指示領域、２０３  ペイロード領域、１１１１‐ｑ  送信伝送路パラメータ設定部、１１２１‐ｑ  受信伝送路パラメータ設定部、１２１１‐ｑ  送信伝送路パラメータ制御部、１２１２‐ｑ  受信伝送路パラメータ制御部、１２１１１‐ｑ  送信部タイマ、１２１２１‐ｑ  受信部タイマ。
【図１】
2015167332.tif 000003
【図２】
2015167332.tif 000004
【図３】
2015167332.tif 000005
【図４】
2015167332.tif 000006
【図５】
2015167332.tif 000007
【図６】
2015167332.tif 000008
【図７】
2015167332.tif 000009
【図８】
2015167332.tif 000010
【図９】
2015167332.tif 000011
【図１０】
2015167332.tif 000012
【図１１】
2015167332.tif 000013
【図１２】
2015167332.tif 000014